(57)【要約】      （修正有）【課題】少量の水を流通させる水の流路のゴミ詰まりによる不都合を解消する。【解決手段】シリンダ部２Ａとカバー部２Ｂとからなる本体部２と、本体部２内で水の圧力により前進移動可能に設けられたピストン部９と、ピストン部９を後退移動方向に付勢するコイルバネ１３とをもって構成する。ピストン部９は、一端部が閉塞９′された円筒状をなし、他端部に外径がシリンダ部２Ａの内径と等しいフランジ部１０を形成する。また、円筒状部分にシリンダ部２Ａにおける閉塞部分２Ａ′の開口４より小径の開口１２を設ける。流入する水の圧力によってコイルバネ１３の付勢力に抗して最前進位置まで移動することによりその閉塞部分９′がシリンダ部２Ａの閉塞部分２Ａ′の内側面に密接する。更に、ピストン部９の閉塞部分９′のシリンダ部２Ａの閉塞部分２Ａ′との対向面に、少量の流通量の流路を形成する溝１１Ａを設ける。【選択図】図２
2019205786.tif 000002
【特許請求の範囲】
【請求項１】
予作動式流水検知装置と該予作動式流水検知装置の一次側に設けられ、基端側に給水手段が接続される一次側配管と、
該予作動式流水検知装置の二次側に設けられ、スプリンクラーヘッドが接続された二次側配管と、該二次側配管を負圧とする真空ポンプと該二次側配管と真空ポンプを接続する吸気管と、
前記二次側配管と前記吸気管との接続部に設けられ、前記二次側配管から前記吸気管に流入する空気と水が通過する本体部と、
該本体部内で水の圧力により前進移動可能に設けられたピストン部と、該ピストン部を後退移動方向に付勢するコイルバネと、前記ピストン部と該ピストン部の移動をガイドする、一端部が閉塞され、閉塞部分に開口を設けたシリンダ部によって構成される負圧湿式予作動スプリンクラー設備における流量制御弁において、
前記ピストン部は、一端部が閉塞された円筒状をなし、他端部に外径が前記シリンダ部の内径と等しいフランジ部を形成し、円筒状部分に前記シリンダ部における閉塞部分の開口より小径の開口を設けてなり、流入する水の圧力によって前記コイルバネの付勢力に抗して最前進位置まで移動することによりその閉塞部分が前記シリンダ部の閉塞部分の内側面に密接するようになされた流量制御弁であって、
前記ピストン部における閉塞部分の、前記シリンダ部における閉塞部分との対向面又は前記シリンダ部における閉塞部分の、前記ピストン部における閉塞部分との対向面に、前記ピストン部における閉塞部分が前記シリンダ部における閉塞部分に密接した状態において、両閉塞部分の間に、ピストン部の外周とシリンダ部における閉塞部分の開口との間に少量の流通量の流路を形成する溝を設けてなることを特徴とする負圧湿式予作動スプリンクラー設備における流量制御弁。
【請求項２】
前記溝は、１つ又は２つ以上である請求項１記載の負圧湿式予作動スプリンクラー設備における流量制御弁。
【発明の詳細な説明】
【技術分野】
【０００１】
本発明は、二次側配管内に水が充填され且つ火災発生時以外においては負圧状態とする負圧湿式予作動スプリンクラー設備における流量制御弁に関するものである。
【背景技術】
【０００２】
従来における消火設備として、スプリンクラーヘッドの破損等が生じた場合に漏水を防止し、且つ火災発生時に速やかに放水する機能を有する、二次側配管内に水が充填され且つ火災発生時以外においては負圧状態とする負圧湿式予作動スプリンクラー設備がある。
【０００３】
図１４は斯かる負圧湿式予作動スプリンクラー設備の概略構成図である。該図において１００は負圧湿式予作動スプリンクラー設備である。
【０００４】
１０１は消火水槽１０２から送水ポンプ１０３を介して立ち上がって配管された一次側配管である。１０４は前記一次側配管１０１に接続され、スプリンクラーヘッド１０５まで配管された二次側配管である。
【０００５】
１０６は前記一次側配管１０１と二次側配管１０４との間に設置され、火災発生時以外では閉状態が維持される予作動式流水検知装置である。１０７は天井部に設置された、火災を感知して火災信号を送出する火災感知器である。
【０００６】
１０８は前記二次側配管１０４に一端側１０８Ａを接続すると共に、他端側１０８Ｂを、真空ポンプ１０９から立ち上がって配管された吸気管１１０と、下端が前記消火水槽１０２まで垂下した排水管１１１とに接続された吸引管である。
【０００７】
１１２は前記吸引管１０８の途中部に設置された、前記二次側配管１０４内の負圧の状態の正常時には少量の、異常時には多量の流通量とする流量制御弁である。また、該流量制御弁１１２は、図１５及び図１６に示すオリフィス付き自動弁であり、口径４０Ａの直動式電磁弁のものがある。そしてまた一例として、その定格はＤＣ２４ボルト、１，５８０ｍＡのものがある。
【０００８】
また、該流量制御弁１１２であるオリフィス付き自動弁は、図１5
に示す如く、二次側配管１０４内の負圧の状態の正常時（緩慢な圧力上昇）には、入口側の開口１１２ａから本体内に流入した水を含んだ空気は、矢標で示すようにオリフィス（小孔）１１２Ａを通過することによって少量が出口側の開口１１２ｂに流れるようにされている。そしてまた、二次側配管１０４内の負圧の状態の異常時（圧力の急上昇）には、図１６に示す如く、通電によって電磁コイル１１２ｃ及びプランジャ１１２ｄを介して弁体１１２ｅを上昇させ、開放された本来の流路１１２Ｂを通って多量が出口側の開口１１２ｂに流れるようにされているものである。
【０００９】
また、図１４において１１３は前記吸引管１０８の途中部における前記流量制御弁１１２より二次側配管１０４側の位置に設置された、二次側配管１０４内の圧力を検出する真空スイッチである。
【００１０】
１１４は火災発生時に前記火災感知器１０７からの火災信号を受信し、後記制御盤に該信号を送信する信号受信盤である。
【００１１】
１１５は前記信号受信盤１１４からの信号を受信し、前記予作動式流水検知装置１０６を開状態として前記一次側配管１０１と二次側配管１０４とを連通状態とすると共に、前記送水ポンプ１０３を作動させる制御盤である。尚、その他図中１１６は前記吸気管１１０の前記吸引管１０８への接続部分に設置した気水分離器、１１７は前記吸引管１０８の前記吸気管１１０と排水管１１１との接続部分に設置した逆止弁である。
【００１２】
そして、火災発生時以外のときには一次側配管１０１と二次側配管１０４のいずれにも水が充填されており、且つ二次側配管１０４内を、吸引管１０８及び吸気管１１０を介して真空ポンプ１０９で負圧状態とするものである。
【００１３】
また、火災発生時には、火災感知器１０７が火災を感知して火災信号を信号受信盤１１４に送信し、そして該信号受信盤１１４から該信号を制御盤１１５に送信する。該信号を受信した制御盤１１５は予作動式流水検知装置１０６を開状態とすると共に送水ポンプ１０３を作動させる。これによりスプリンクラーヘッド１０５から放水が連続して行われるものである。尚、斯かる際には、流量制御弁１１２であるオリフィス付き自動弁は、図１５に示す平常時の状態であって、真空ポンプ１０９の作動は停止される。
【００１４】
従来における負圧湿式予作動スプリンクラー設備は上記の通りである。しかし、斯かる設備には二次側配管内の負圧の状態を適正に保持する構成において問題がある。それは、吸引管１０８の途中部に設置された流量制御弁１１２としてオリフィス付き自動弁を用いていることによるものである。
【００１５】
而して、斯かるオリフィス付き自動弁は電磁弁であり、そして、斯かる電磁弁は、無通電時には閉止し、通電時に開放するなど制御方法がシンプルであるというメリットがある一方、消費電流が大きく、且つ弁体の開放中は通電し続けなければならず、大きな電源が必要となる。そして、上記の如く、従来の設備に用いられていたオリフィス付き自動弁は、口径４０Ａの直動式電磁弁のものがあり、そして一例として、その定格はＤＣ２４ボルト、１，５８０ｍＡのものがあり、消費電流も大きく且つ弁体の開放に大きな電源が必要であった。
【００１６】
また、従来用いられていた電磁弁は、上記の通り消費電流も大きく且つ弁体の開放に大きな電源が必要であることから、停電時における問題もある。即ち、停電時において、二次側配管の破損等で二次側配管内の圧力が急上昇する事態が起き、弁を開放させる必要が生じることがあるが、その場合に備えて容量の大きい蓄電池を設けるか、非常電源設備による給電を行うなどの対策が必要であった。しかし、容量の大きい蓄電池を設ける場合には、蓄電池自体の大きさだけでなく、それを収納する制御盤の大きさも大きくなり、コストも増えることになる。また、非常電源設備による給電を行う場合には、予め非常電源設備の設計の際に電源容量を見込む必要があり、設備のリニューアルに対応できない等の問題があった。
【００１７】
そこで、本発明者らは、上記負圧湿式予作動スプリンクラー設備において、それに用いる二次側配管内の圧力の適正保持用の流量制御弁として、電力消費の大きい従来のオリフィス付き自動弁に替わる電力不要の流量制御弁を、先に案出した。そして、これを用いることにより上記従来の問題点を悉く解消することができるようになった。
【００１８】
而して、本発明者が先に案出した流量制御弁は、図１２及び図１３に示した通りである。該図において、１は流量制御弁であり、二次側配管から吸引管に流入する空気と水が通過する本体部２と、該本体部２内で水の圧力により前進移動可能に設けられたピストン部９と、該ピストン部９を後退移動方向に付勢するコイルバネ１３とによって構成され、前記本体部２は、シリンダ部２Ａと、該シリンダ部２Ａの一端側に装着されるカバー部２Ｂとからなり、前記シリンダ部２Ａは、その一端部が閉塞された円筒状をなし、閉塞部分２Ａ′の中心部に、流出口３と、該流出口３の内側に連成された該流出口３より小径の開口４を設けてなり、前記カバー部２Ｂは、一端部が閉塞された円筒状をなし、閉塞部分２Ｂ′に、流入口７を設けてなり、前記ピストン部９は、一端部が閉塞９′された円筒状をなし、他端部に外径が前記シリンダ部２Ａの内径と等しいフランジ部１０を形成し、閉塞部分９′の中心部に前記シリンダ部２Ａにおける閉塞部分２Ａ′の開口４より小径の開口１１を設けると共に、円筒状部分に該開口１１より大径の開口１２を設けてなり、流入する水の圧力によって前記コイルバネ１３の付勢力に抗して最前進位置まで移動することによりその閉塞部分９′が前記シリンダ部２Ａの閉塞部分２Ａ′の内側面に密接するようになされたものである。
【００１９】
尚、前記シリンダ部２Ａの他端側の外周面には雄ネジ５が刻設され、これに対応して内周面に雌ネジ６が刻設されたカバー部２Ｂを螺合装着するようになされている。
【００２０】
また、前記シリンダ部２Ａの他端側の端面と前記カバー部２Ｂの閉塞部分２Ｂ′との間にはＯリング８が介装され、シリンダ部２Ａとカバー部２Ｂとの間の水密性が保たれている。
【００２１】
また、前記コイルバネ１３は、前記シリンダ部２Ａ内において、ピストン部９を挿入させた状態でそのフランジ部１０に当接し、該ピストン部９をカバー部２Ｂの流入口７側に押圧付勢している。そして、該コイルバネ１３の弾発力（バネ定数）は、火災発生時において二次側配管１０４内に一次側配管１０１から水が供給され、該水の一部が吸引管１０８内に流入したときの圧力によってのみ縮小する程度であることを要する。したがって、カバー部２Ｂの流入口７から水が流入し、その圧力が該コイルバネ１３の付勢力を超えている状態でピストン部９は前進移動が行われることになる。
【００２２】
また、上記流量制御弁１の作用は、次の通りである。
火災発生時以外のときにおける二次側配管の温度変化による体積膨張や流量制御管等からの微少な空気流入等による緩慢な圧力上昇があるときは、図１０に示す如く、ピストン部９は後退位置にあり、カバー部２Ｂの流入口７から流入した空気と水は、ピストン部９の小径の開口１１と大径の開口１２を通って合流し、シリンダ部２Ａの開口４と流出口３から流出する。
【００２３】
また、スプリンクラーヘッド等が破損して二次側配管内の圧力が急速に上昇したときには、ピストン部９は図１２と同じ後退位置にあって、真空ポンプ１０９が作動する。そして、この吸引によって漏水が防止される。尚、その際において真空ポンプ１０９の吸引力はコイルバネ１３の弾発力より低いためピストン部９は移動しない。
【００２４】
また、火災発生時において一次側配管１０１から二次側配管１０４に水が供給され、その水の一部が吸引管１０８内に流入すると、図１３に示す如く、その水の圧力によってコイルバネ１３の付勢力に抗してピストン部９が最前進位置まで移動し、その閉塞部分９′がシリンダ部２Ａの閉塞部分２Ａ′の内側面に密接する。また、このときにおいては真空ポンプ１０９は作動しない。そして、これにより水はピストン部９の小径の開口１１を通じて少量しか流れず、スプリンクラーヘッド１０５からの充分な放水が確保される。尚、ピストン部９の小径の開口１１から引き続き水が流出するが、該開口１１の径は小さいことから流出の影響は少ない。
【００２５】
そして、消火完了後、予作動式流水検知装置１０６が閉止すると、ピストン部９の小径の開口１１から水が流出することで二次側配管１０４内の圧力が減少し、ピストン部９はコイルバネ１３によって再び後退位置に戻される。
【００２６】
以上の如く、上記流量制御弁１は、電力を要することなく作動するものである。
【発明の概要】
【発明が解決しようとする課題】
【００２７】
本発明者が先に案出した上記流量制御弁１は、上記の通りの作用、効果を奏し、そしてこれを用いることにより上記従来の負圧湿式予作動スプリンクラー設備における問題点を悉く解消することができるものである。そしてまた、その作用、効果をより持続的に確実なものとすべく、本発明者は更に鋭意研究を重ねた。
【００２８】
本発明者が先に案出した流量制御弁１においては、そのピストン部９の閉塞部分９′の中心部に小径の開口１１が設けられている。
【００２９】
そして、該小径の開口１１は、図１３に示す如く、火災発生時における流入する水の圧力によってピストン部９が最前進位置まで移動し、その閉塞部分９′がシリンダ部２Ａの閉塞部分２Ａ′の内側面に密接したときにおいて、流通する水の量を絞って制限し、スプリンクラーヘッド１０５からの充分な放水を確保することと、消火完了後における予作動式流水検知装置１０６が閉止したときにおいて、該小径の開口１１を通して水を流出させることにより二次側配管１０４内の圧力を減少させることとを役割として設けられているものである。
【００３０】
そしてまた、該小径の開口１１は、このような役割で設けられているものではあるが、その内部にゴミが溜まり易く、長期間そのままであるとこのゴミが開口１１内に詰まり、実際に火災が発生したときにおいて本来の機能を発揮することができなくなる虞があるという問題点もある。
【００３１】
尚、該小径の開口１１においてその内部にゴミが溜まって詰まり易い原因は、元々その内径がかなり小さく、内部空間が狭いことから微細なゴミでもすぐに充満し易く、更にトンネル状に細長く、且つ全周囲を囲まれていることから空気の流通が悪く、流通する微弱な空気によっては溜まったゴミを吹き出すことができないことによるものである。
【００３２】
そこで、本発明者は、斯かる点に鑑み、該小径の開口１１に替えて、ピストン部における閉塞部分の、シリンダ部における閉塞部分との対向面又はシリンダ部における閉塞部分の、ピストン部における閉塞部分との対向面に、該小径の開口１１と同程度の流通量の流路を形成する溝を設けることにより、ゴミによる不都合を解消することができることを知見し、本発明の完成をみるに至ったものである。
【課題を解決するための手段】
【００３３】
而して、本発明の要旨とするところは、
予作動式流水検知装置と該予作動式流水検知装置の一次側に設けられ、基端側に給水手段が接続される一次側配管と、
該予作動式流水検知装置の二次側に設けられ、スプリンクラーヘッドが接続された二次側配管と、該二次側配管を負圧とする真空ポンプと該二次側配管と真空ポンプを接続する吸気管と、
前記二次側配管と前記吸気管との接続部に設けられ、前記二次側配管から前記吸気管に流入する空気と水が通過する本体部と、
該本体部内で水の圧力により前進移動可能に設けられたピストン部と、該ピストン部を後退移動方向に付勢するコイルバネと、前記ピストン部と該ピストン部の移動をガイドする、一端部が閉塞され、閉塞部分に開口を設けたシリンダ部によって構成される負圧湿式予作動スプリンクラー設備における流量制御弁において、
前記ピストン部は、一端部が閉塞された円筒状をなし、他端部に外径が前記シリンダ部の内径と等しいフランジ部を形成し、円筒状部分に前記シリンダ部における閉塞部分の開口より小径の開口を設けてなり、流入する水の圧力によって前記コイルバネの付勢力に抗して最前進位置まで移動することによりその閉塞部分が前記シリンダ部の閉塞部分の内側面に密接するようになされた流量制御弁であって、
前記ピストン部における閉塞部分の、前記シリンダ部における閉塞部分との対向面又は前記シリンダ部における閉塞部分の、前記ピストン部における閉塞部分との対向面に、前記ピストン部における閉塞部分が前記シリンダ部における閉塞部分に密接した状態において、両閉塞部分の間に、ピストン部の外周とシリンダ部における閉塞部分の開口との間に少量の流通量の流路を形成する溝を設けてなることを特徴とする負圧湿式予作動スプリンクラー設備における流量制御弁
にある。
【００３４】
また、上記構成において、溝は１つのみでもよいが、２つ以上とすることが好ましい。
【発明の効果】
【００３５】
本発明は上記の如き構成であり、前記本発明者が先に案出した流量制御弁におけるピストン部の小径の開口に替えて、ピストン部における閉塞部分の、シリンダ部における閉塞部分との対向面又はシリンダ部における閉塞部分の、ピストン部における閉塞部分との対向面に、該小径の開口と同程度の流通量の流路を形成する溝を設けたものであるから、上記のゴミによる不都合を解消することができるものである。
【００３６】
即ち、小径の開口の場合においては、その内径がかなり小さく、内部空間が狭いことから微細なゴミでもすぐに充満し易いが、溝の場合にはその断面の約半分が開放されていることから空間が広くなり、且つまた小径の開口よりも長さがあることから、すぐにゴミが充満することがなく、更に小径の開口の場合においては、トンネル状に細長く、且つ全周囲を囲まれていることから空気の流通が悪いが、溝の場合にはその断面の半分が開放されていることから空気の流通が良く、したがって溜まったゴミは溝に沿って流れる空気や開放部分から流入する空気によって吐き出され易く、もってゴミ詰まりによる不都合を解消することができるものである。
【００３７】
また、溝の数は、１つのみでもよいが、２つ以上の複数とすることが好ましい。即ち、２つ以上の複数とした場合には、いずれかの溝がゴミによって不都合が生じても、その他の溝が流通していればこれの不都合をカバーすることができることになるからである。
【図面の簡単な説明】
【００３８】
【図１】本発明の第１実施形態に係る負圧湿式予作動スプリンクラー設備における流量制御弁の縦断側面図であり、平常時の状態を示すものである。
【図２】同火災発生時の状態を示すものである。
【図３】本発明の第１実施形態に係る負圧湿式予作動スプリンクラー設備における流量制御弁のピストン部の縦断側面図である。
【図４】同正面図である。
【図５】本発明の第１実施形態に係る負圧湿式予作動スプリンクラー設備における流量制御弁のピストン部の溝を変えた例の縦断側面図である。
【図６】同正面図である。
【図７】本発明の第１実施形態に係る負圧湿式予作動スプリンクラー設備における流量制御弁のピストン部の溝を変えた他の変形例の縦断側面図である。
【図８】同正面図である。
【図９】本発明の第１実施形態に係る負圧湿式予作動スプリンクラー設備における流量制御弁のピストン部に設ける溝の断面図である。
【図１０】本発明の第２実施形態に係る負圧湿式予作動スプリンクラー設備における流量制御弁の縦断側面図であり、平常時の状態を示すものである。
【図１１】同火災発生時の状態を示すものである。
【図１２】本発明者が先に案出した負圧湿式予作動スプリンクラー設備における流量制御弁の縦断側面図であり、平常時の状態を示すものである。
【図１３】本発明者が先に案出した負圧湿式予作動スプリンクラー設備における流量制御弁の縦断側面図であり、火災発生時の状態を示すものである。
【図１４】従来の負圧湿式予作動スプリンクラー設備の概略構成図である。
【図１５】従来の負圧湿式予作動スプリンクラー設備におけるオリフィス付き自動弁の作用説明図であり、二次側配管内の圧力の緩慢な上昇時の状態を示すものである。
【図１６】従来の負圧湿式予作動スプリンクラー設備におけるオリフィス付き自動弁の作用説明図であり、二次側配管内の圧力の急上昇時の状態を示すものである。
【発明を実施するための形態】
【００３９】
以下、本発明を実施するための形態について、図面を参照して説明する。
【００４０】
図１は本発明の実施形態に係る負圧湿式予作動スプリンクラー設備における流量制御弁１′を示すものである。尚、該流量制御弁１′は、ピストン部に設ける溝の点のみが異なり、その他の構成は本発明者が先に案出した負圧湿式予作動スプリンクラー設備における流量制御弁１と同様であるから、同一の部材には同一の符号を付して詳細な説明は省略する。
【００４１】
而して、本実施形態に係る負圧湿式予作動スプリンクラー設備における流量制御弁１′は、本発明者が先に案出した流量制御弁１におけるピストン部９の小径の開口１１に替えて、ピストン部９における閉塞部分９′のシリンダ部２Ａにおける閉塞部分２Ａ′との対向面に、ピストン部９における閉塞部分９′がシリンダ部２Ａにおける閉塞部分２Ａ′に密接した状態（図２に示す状態）において、両閉塞部分の間に、ピストン部９の外周とシリンダ部２Ａにおける閉塞部分２Ａ′の開口４との間に少量の流通量の流路を形成する溝１１Ａを設けてなることを特徴とするものである。尚、前記少量の流通量とは、本発明者が先に案出した流量制御弁１におけるピストン部９の小径の開口１１と同程度の流通量であり、複数の溝の場合には、それらを合計した流通量である。
【００４２】
また、前記溝１１Ａの断面形状並びにその幅と深さ及び長さは、本発明の目的の範囲内において適宜に選択することができ、図９にはその断面形状の一例を示している。尚、該図９におけるＡはＶ字形の、またＢは半円形の、更にＣはＵ字形の断面形状の場合を示している。
【００４３】
また、前記溝１１Ａの数は、１つのみでもよいが、本実施形態においては２つ設けた場合を示している。即ち、図３及び図４に示す如く、ピストン部９における閉塞部分９′の中心部を通り、両端部がピストン部９の外周に至る溝を設けてなり、該溝における両端部の夫々から閉塞部分９′の中心部にかけての部分が夫々流路を形成する溝１１Ａとなるものである。
【００４４】
このように２つの溝１１Ａ、１１Ａとした場合には、いずれか一方の溝１１Ａがゴミによって不都合が生じても、もう一方の溝１１Ａが流通していればこれの不都合をカバーすることができることになるものである。
【００４５】
また、図５及び図６には前記溝１１Ａの数を複数とする場合の他の例を示しており、斯かる例においては、前記図３及び図４に示した溝と同様の溝を十字状に交差させて設けてなるものである。而して、斯かる場合には、該十字状に交差した溝の夫々における両端部から閉塞部分９′の中心部にかけての部分が夫々流路を形成する溝１１Ａとなるものである。よって、この場合には４つの溝１１Ａ、１１Ａ、１１Ａ、１１Ａが設けられたことになるものである。
【００４６】
また、図７及び図８には前記溝１１Ａの数を複数とする場合の更に他の例を示しており、斯かる例においては、前記図５及び図６に示した例において、各溝の長さを、両端部からピストン部９における閉塞部分９′の中心部に至らない長さとしてなるものである。
【００４７】
本実施形態に係る流量制御弁１′は上記の如き構成であり、図２に示す如く、火災発生時において流入する水の圧力によってピストン部９が最前進位置まで移動し、その閉塞部分９′がシリンダ部２Ａの閉塞部分２Ａ′の内側面に密接したときにおいては、流入する水はピストン部９の円筒状部分の開口１２から該ピストン部９の外周とシリンダ部２Ａの内周との隙間の空間に流出し、ピストン部９の閉塞部分９′とシリンダ部２Ａにおける閉塞部分２Ａ′との間に設けられた少量の流通量の溝１１Ａをもって流通量が絞られ、もって少量の水しか通過しないようになるものである。また、消火完了後における予作動式流水検知装置が閉止したときにおいては、溝１１Ａを通して水を流出させることにより二次側配管内の圧力を減少させるものである。
【００４８】
また、本実施形態に係る流量制御弁１′は、本発明者が先に案出した流量制御弁１におけるピストン部の小径の開口に替えて、上記の如くピストン部９における閉塞部分９′の、シリンダ部２Ａにおける閉塞部分２Ａ′との対向面に、該小径の開口と同程度の流通量の流路を形成する溝１１Ａを設けたものであり、そして該溝１１Ａによれば小径の開口の場合におけるゴミによる不都合を解消することができることから、流量制御弁としての作用、効果をより持続的に確実なものとすることができるものである。
【００４９】
尚、溝１１Ａによることにより小径の開口の場合におけるゴミによる不都合を解消することができる理由は、次の通りである。即ち、小径の開口の場合においては、その内径がかなり小さく、内部空間が狭いことから微細なゴミでもすぐに充満し易いが、溝１１Ａの場合にはその断面の約半分が開放されていることから空間が広くなり、且つまた小径の開口よりも長さがあることから、すぐにゴミが充満することがなく、更に小径の開口の場合においては、トンネル状に細長く、且つ全周囲を囲まれていることから空気の流通が悪いが、溝１１Ａの場合にはその断面の半分が開放されていることから空気の流通が良く、したがって溜まったゴミは溝１１Ａに沿って流れる空気や開放部分から流入する空気によって吐き出され易く、もってゴミ詰まりによる不都合を解消することができるものである。
【００５０】
また、本実施形態においては、複数の溝１１Ａ、１１Ａを設けているから、一方の溝１１Ａがゴミによって不都合が生じても、もう一方の溝１１Ａが流通していればこれの不都合をカバーすることができることになるものである。
【００５１】
次に、図１０及び図１１に示す本発明の第２実施形態に係る負圧湿式予作動スプリンクラー設備における流量制御弁について説明する。
【００５２】
該図において１″は流量制御弁である。また、該流量制御弁１″と前記第１実施形態における流量制御弁１′とは、溝の位置においてのみ相違するものであり、その他の構成並びに作用は前記第１実施形態における流量制御弁１′と同様であるから、同一の部材には同一の符号を付して詳細な説明は省略する。
【００５３】
而して、前記第１実施形態における流量制御弁１′は、溝１１Ａを、ピストン部９における閉塞部分９′の、シリンダ部２Ａにおける閉塞部分２Ａ′との対向面に設けているのに対して、本実施形態における流量制御弁１″は、溝１１Ａ′を、シリンダ部２Ａにおける閉塞部分２Ａ′の、ピストン部９における閉塞部分９′との対向面に設けているものである。
【００５４】
そして、本実施形態による場合には、図１１に示す如く、火災発生時において流入する水の圧力によってピストン部９が最前進位置まで移動し、その閉塞部分９′がシリンダ部２Ａの閉塞部分２Ａ′の内側面に密接したときにおいては、流入する水はピストン部９の円筒状部分の開口１２から該ピストン部９の外周とシリンダ部２Ａの内周との隙間の空間に流出し、シリンダ部２Ａの閉塞部分２Ａ′とピストン部９における閉塞部分９′との間に設けられた少量の流通量の溝１１Ａ′をもって流通量が絞られ、もって少量の水しか通過しないようになるものである。また、消火完了後における予作動式流水検知装置が閉止したときにおいては、溝１１Ａ′を通して水を流出させることにより二次側配管内の圧力を減少させるものでる。
【符号の説明】
【００５５】
１′、１″  流量制御弁
２  本体部
２Ａ  シリンダ部
２Ａ′  閉塞部分
２Ｂ  カバー部
２Ｂ′  閉塞部分
３  流出口
４  開口
７  流入口
７Ａ  流入口の一端側
７Ｂ  流入口の他端側
９  ピストン部
９′  閉塞部分
１０  フランジ部
１１Ａ、１１Ａ′  溝
１２  開口
１３  コイルバネ
１００″  負圧湿式予作動スプリンクラー設備
１００′  本発明者が先に案出した負圧湿式予作動スプリンクラー設備
１００  従来の負圧湿式予作動スプリンクラー設備
１０１  一次側配管
１０２  消火水槽
１０３  送水ポンプ
１０４  二次側配管
１０５  スプリンクラーヘッド
１０６  予作動式流水検知装置
１０７  火災感知器
１０８  吸引管
１０９  真空ポンプ
１１０  吸気管
１１１  排水管
１１３  真空スイッチ
１１４  信号受信盤
１１５  制御盤
【図１】
2019205786.tif 000003
【図２】
2019205786.tif 000004
【図３】
2019205786.tif 000005
【図４】
2019205786.tif 000006
【図５】
2019205786.tif 000007
【図６】
2019205786.tif 000008
【図７】
2019205786.tif 000009
【図８】
2019205786.tif 000010
【図９】
2019205786.tif 000011
【図１０】
2019205786.tif 000012
【図１１】
2019205786.tif 000013
【図１２】
2019205786.tif 000014
【図１３】
2019205786.tif 000015
【図１４】
2019205786.tif 000016
【図１５】
2019205786.tif 000017
【図１６】
2019205786.tif 000018
【手続補正書】
【提出日】令和1年6月28日(2019.6.28)
【手続補正１】
【補正対象書類名】明細書
【補正対象項目名】００３３
【補正方法】変更
【補正の内容】
【００３３】
而して、本発明の要旨とするところは、
予作動式流水検知装置と該予作動式流水検知装置の一次側に設けられ、基端側に給水手段が接続される一次側配管と、
該予作動式流水検知装置の二次側に設けられ、スプリンクラーヘッドが接続された二次側配管と、該二次側配管を負圧とする真空ポンプと、該二次側配管と該真空ポンプを接続する、一端を該二次側配管に接続する吸引管と、排水管を介在させて前記吸引管に一端を接続すると共に他端を前記真空ポンプに接続した吸気管と、
前記吸引管上に設けられ、前記二次側配管から前記吸引管に流入する空気と水が通過する本体部と、
該本体部内で水の圧力により前進移動可能に設けられたピストン部と、該ピストン部を後退移動方向に付勢するコイルバネと、前記ピストン部と該ピストン部の移動をガイドする、一端部が閉塞され、閉塞部分に開口を設けたシリンダ部によって構成される負圧湿式予作動スプリンクラー設備における流量制御弁において、
前記ピストン部は、一端部が閉塞された円筒状をなし、他端部に外径が前記シリンダ部の内径と等しいフランジ部を形成し、円筒状部分に後記溝より流通量の多い開口を設けてなり、流入する水の圧力によって前記コイルバネの付勢力に抗して最前進位置まで移動することによりその閉塞部分が前記シリンダ部の閉塞部分の内側面に密接するようになされた流量制御弁であって、
前記ピストン部における閉塞部分の、前記シリンダ部における閉塞部分との対向面又は前記シリンダ部における閉塞部分の、前記ピストン部における閉塞部分との対向面に、前記ピストン部における閉塞部分が前記シリンダ部における閉塞部分に密接した状態において、両閉塞部分の間に、ピストン部の外周とシリンダ部における閉塞部分の開口との間に少量の流通量の流路を形成する溝を設けてなることを特徴とする負圧湿式予作動スプリンクラー設備における流量制御弁
にある。
【手続補正２】
【補正対象書類名】特許請求の範囲
【補正対象項目名】請求項１
【補正方法】変更
【補正の内容】
【請求項１】
予作動式流水検知装置と該予作動式流水検知装置の一次側に設けられ、基端側に給水手段が接続される一次側配管と、
該予作動式流水検知装置の二次側に設けられ、スプリンクラーヘッドが接続された二次側配管と、該二次側配管を負圧とする真空ポンプと、該二次側配管と該真空ポンプを接続する、一端を該二次側配管に接続する吸引管と、排水管を介在させて前記吸引管に一端を接続すると共に他端を前記真空ポンプに接続した吸気管と、
前記吸引管上に設けられ、前記二次側配管から前記吸引管に流入する空気と水が通過する本体部と、
該本体部内で水の圧力により前進移動可能に設けられたピストン部と、該ピストン部を後退移動方向に付勢するコイルバネと、前記ピストン部と該ピストン部の移動をガイドする、一端部が閉塞され、閉塞部分に開口を設けたシリンダ部によって構成される負圧湿式予作動スプリンクラー設備における流量制御弁において、
前記ピストン部は、一端部が閉塞された円筒状をなし、他端部に外径が前記シリンダ部の内径と等しいフランジ部を形成し、円筒状部分に後記溝より流通量の多い開口を設けてなり、流入する水の圧力によって前記コイルバネの付勢力に抗して最前進位置まで移動することによりその閉塞部分が前記シリンダ部の閉塞部分の内側面に密接するようになされた流量制御弁であって、
前記ピストン部における閉塞部分の、前記シリンダ部における閉塞部分との対向面又は前記シリンダ部における閉塞部分の、前記ピストン部における閉塞部分との対向面に、前記ピストン部における閉塞部分が前記シリンダ部における閉塞部分に密接した状態において、両閉塞部分の間に、ピストン部の外周とシリンダ部における閉塞部分の開口との間に少量の流通量の流路を形成する溝を設けてなることを特徴とする負圧湿式予作動スプリンクラー設備における流量制御弁。